Podtech/llm-jp-corpus-v4-ja_patent huggingface dataset:
(57)【要約】      （修正有）【課題】冷凍庫、オーブンレンジ内での使用が可能であるとともに、印刷性能、保形性能がともに良好である使い捨てカップを提供する。【解決手段】シート基材５が型成形によりカップ形態とされた使い捨てカップにおいて、シート基材５が、表面に印刷層６が設けられたポリエチレンテレフタレートフィルム７の表面上にポリブチレンテレフタレート層８が付された構成を備えることを特徴とするもの。【選択図】図２
0003135472.tif 000002
【実用新案登録請求の範囲】
【請求項１】
シート基材が型成形によりカップ形態とされた使い捨てカップにおいて、
前記シート基材が、表面に印刷層が設けられたポリエチレンテレフタレートフィルムの表面上にポリブチレンテレフタレート層が付された構成を備えることを特徴とする使い捨てカップ。
【考案の詳細な説明】
【技術分野】
【０００１】  この考案は、弁当箱内におかずを区分けして入れるように用いたり、また、小さな菓子等を入れるように用いる使い捨てカップに関する。
【背景技術】
【０００２】  上記の使い捨てカップは通常２層構成とされている。これは、模様印刷が直接食品に触れることがないように下層の部材面に設けた模様印刷を上層のフィルムやオーバーコート層により覆うことによる。一方最近においては、冷凍庫、オーブンレンジ内での使用が行えるように広い温度範囲において使用可能な使い捨てカップの開発が進められている。このような観点において、紙材の表面上にポリブチレンテレフタレート（以下ＰＢＴと記す）層を設けた使い捨てカップが提供されている。上記ＰＢＴ樹脂は燃焼カロリーが低く焼却処理に際して焼却炉を傷めず、また、有毒ガスを発生しないという使用後処理に際しての利点も備えている。
【考案の開示】
【考案が解決しようとする課題】
【０００３】  しかしながら、上記の紙材表面にＰＢＴ層を設けた構成のものでは、紙材表面に模様印刷がなされることとなるので印刷に際してインクが紙材に染み込み満足のいく印刷状態が得られない問題があった。また、使い捨てカップの場合、食品を入れた際にあまり形が崩れない方が好ましく、いわゆる保形性能が良好であることが望まれるが、上記の紙材表面にＰＢＴ層を設けた構成のものは、若干保形性能が劣る問題があった。【０００４】  この考案は上記の事情に鑑みて行ったもので、冷凍庫、オーブンレンジ内での使用が可能であるとともに、印刷性能、保形性能がともに良好である使い捨てカップの提供を目的とする。【０００５】  この考案では、シート基材が型成形によりカップ形態とされた使い捨てカップにおいて、前記シート基材が、表面に印刷層が設けられたポリエチレンテレフタレート（以下ＰＥＴと記す）フィルムの表面上にＰＢＴ層が付された構成を備えるものとする。【０００６】  上記構成の使い捨てカップは、−４０℃〜＋２００℃の温度範囲での使用が可能で、したがって、冷凍庫、オーブンレンジ内での使用が支障なく行える。また、ＰＥＴフィルム表面への印刷が良好になされるとともに、保型性能も良好なる。【０００７】  この考案の使い捨てカップは、カップ形状を呈するものであればその平面形状は円形、楕円形、四角形、三角形等適宜の形態であってよい。
【考案の効果】
【０００８】  この考案によれば、冷凍庫、オーブンレンジ内での使用が可能であるとともに、印刷性能が良好であることで意匠性に優れ、保形性能が良好であることで使用時に形崩れの少ない、きわめて実用性の高い使い捨てカップが得られる。
【考案を実施するための最良の形態】
【０００９】  図１はこの考案の使い捨てカップの外観斜視図である。【００１０】  使い捨てカップ１は、縦方向に複数本の折り込み部３が並設されたロート状に開く周壁部２と、その下部に連続一体の略円形の底部３とからなり、全体が一枚の円形の基材シート５よりなる。使い捨てカップ１の製造は、多数枚重ねられた基材シート５が型内に納められ加熱成形されることで行われる。【００１１】  上記基材シート５としては、図２の断面図に示すように、表面全体に印刷層６が設けられた１２μ厚さ程度のＰＥＴフィルム７の表面上に、１８μ厚さ程度のＰＢＴ層８が塗布形成されたものを用いている。印刷層６がたとえば全体が緑色とされることで、ＰＥＴフィルム７、ＰＢＴ層８がともに透明であるので使い捨てカップ１は全体が緑色となる。印刷層６は適宜模様を持つものとされてもよい。この印刷層６はＰＢＴ層８に完全に覆われることで、使い捨てカップ１内に入れた食品に接触することはない。【００１２】  図３は上記使い捨てカップ１の実験に基づく性能評価表であり、Ａが上記実施形態のもの、Ｂが紙材表面にＰＢＴ層を塗布形成した形態のものである。Ａのものが印刷性能、保型性能ともにＢのものに比して良好であることが確認された。Ｂのものは印刷色がＡものに比して鮮明でなく、これはインクが印刷時に若干紙材に染み込んだ結果と考えられる。Ｂのものの保形性能をＡのものと同等にするには紙材の厚さを大きくしなければならず、その場合使い捨てカップが必要以上に嵩高くなってしまう。なお、Ａ、Ｂのものはともに−４０℃〜＋２００℃の温度範囲での使用が可能で、冷凍庫、オーブンレンジ内での使用は支障なく行える。
【図面の簡単な説明】
【００１３】
【図１】  この考案の使い捨てカップの実施形態の外観斜視図
【図２】  この考案の使い捨てカップを構成する円形基材シートの部分拡大断面図
【図３】  この考案の使い捨てカップの実施形態の性能評価表
【符号の説明】
【００１４】  １  使い捨てカップ
５  基材シート
６  印刷層
７  ＰＥＴフィルム
８  ＰＢＴ層
【図１】
0003135472.tif 000003
【図２】
0003135472.tif 000004
【図３】
0003135472.tif 000005
(57)【要約】      （修正有）【課題】毎日の生活の中で自然に使われるものであれば無理なく使用でき、知らず知らずの間に外反母趾が矯正される靴の中敷やサンダルの提供。【解決手段】靴の中敷１とサンダル２の親指と人差し指のあたる位置に縦約２センチ、直径約１センチの円筒形のヘソ３を本体に取り付けたものである。【選択図】図１
0003135476.tif 000002
【実用新案登録請求の範囲】
【請求項１】
靴の中敷の親指と人差し指のあたる位置にヘソを取り付けた中敷である。
【請求項２】
サンダルの親指と人差し指のあたる位置にヘソを取り付けたサンダルである。
【考案の詳細な説明】
【考案の詳細な説明】
この考案は靴の中敷（１）及びサンダル（２）各々の親指と人差し指のあたる位置にヘソ（３）を取り付けたもので、外反母趾を矯正、予防するものである。
従来はサポーターや痛みを和らげる保護パッドがあったが使用中に外れることが多く、継続的な使用には無理があった。
【考案の効果】
ヘソ（３）を取り付けることで親指と人差し指に圧力が加わることで徐々に外反母趾が矯正され、継続的に使用することで予防もできる。
また外反母趾で歩くと足が痛む人や走ることに不安のある人、疲れやすい人にも有効である。
【図面の簡単な説明】
【図１】  本案の斜視図である
【図２】  本案の斜視図である
【符号の説明】
１は中敷  ２はサンダル  ３はヘソ
【図１】
0003135476.tif 000003
【手続補正書】
【提出日】平成19年7月5日(2007.7.5)
【手続補正１】
【補正対象書類名】図面
【補正対象項目名】全図
【補正方法】変更
【補正の内容】
【図１】
0003135476.tif 000004
【図２】
0003135476.tif 000005
(57)【要約】【課題】    スポーツをする時や外出時に無毛の頭部を保護したり、容易にかぶれて頭部に自毛があるように見えるようにするため、つけ毛付きサンバイザーを提供する。【解決手段】    サンバイザーの縁につけ毛を取り付ける。【選択図】図１
0003135473.tif 000002
【実用新案登録請求の範囲】
縁の部分につけ毛を取り付けたサンバイザー。
【考案の詳細な説明】
【技術分野】  本考案は頭部無毛の者がサンバイザーを使用時に安全性を高めたり、自毛があるように見せるためのものである。
【背景技術】  従来からあるカツラに比べ廉価で製造できるようにし、帽子感覚で気軽にかぶれるようにした。
【考案の開示】
【考案が解決しようとする課題】  スポーツをする時や外出時に無毛の頭部を保護したり、容易にかぶれて頭部に自毛があるように見えるようにするため、つけ毛付きサンバイザーを提供する。
【課題を解決するための手段】  縁の部分につけ毛を取り付けたサンバイザー。
【考案の効果】  従来からあるカツラにくらべ、簡単に廉価で製造できる。帽子をかぶる感覚で容易に使用でき、頭部の保護にも役に立つ。
【考案を実施するための最良の形態】  サンバイザーの縁にあたる部分に天然あるいは人口の毛髪を利用し、頭部を覆うように取り付けたもの。
【図面の簡単な説明】  図中▲１▼はサンバイザーの縁で、この部分の内側或いは外側に毛髪状の物を取り付ける。▲２▼は頭頂部で、毛髪はこの部分を覆うようにして取り付ける。
【図１】
0003135473.tif 000003
【手続補正書】
【提出日】平成19年7月2日(2007.7.2)
【手続補正１】
【補正対象書類名】実用新案登録請求の範囲
【補正対象項目名】全文
【補正方法】変更
【補正の内容】
【実用新案登録請求の範囲】
【請求項１】
縁の部分につけ毛を取り付けたサンバイザー
【手続補正２】
【補正対象書類名】明細書
【補正対象項目名】全文
【補正方法】変更
【補正の内容】
【考案の詳細な説明】
【技術分野】  本考案は頭部無毛の者がサンバイザーを使用時に安全性を高めたり、自毛があるように見せるためのものである。
【背景技術】  従来からあるカツラに比べ廉価で製造できるようにし、帽子感覚で気軽にかぶれるようにした。
【考案の開示】
【考案が解決しようとする課題】  スポーツをする時や外出時に無毛の頭部を保護したり、容易にかぶれて頭部に自毛があるように見えるようにするため、つけ毛付きサンバイザーを提供する。
【課題を解決するための手段】  縁の部分につけ毛を取り付けたサンバイザー。
【考案の効果】  従来からあるカツラにくらべ、簡単に安価で製造できる。帽子をかぶる感覚で容易に使用でき、頭部の保護にも役に立つ。
【考案を実施するための最良の形態】  サンバイザーの縁にあたる部分に天然あるいは人口の毛髪を利用し、頭部を覆うように取り付けたもの。
【図面の簡単な説明】
【図１】は、つけ毛付きサンバイザーの側面図である。
【符号の説明】
▲１▼はサンバイザーの縁で、この部分の内側或いは外側に毛髪状の物を取り付ける。
▲２▼は頭頂部で、毛髪はこの部分を覆うようにして取り付ける。
(57)【要約】【課題】  キルシュナー鋼線の刺し入れ位置がずれた場合に、キルシュナー鋼線を適所へ容易且つ正確に刺し直しできる鋼線刺入器具を提供する。【解決手段】  細長の器具本体１１の後端部にハンドル１２を備え、キルシュナー鋼線２０を貫通させる貫通穴１３〜１５を位置をずらして３箇所穿孔する。貫通穴１３は器具本体１１の中心位置に穿孔し、貫通穴１４，１５は貫通穴１３の中心軸からそれぞれ異なる距離の位置に穿孔する。刺し直す場合は、最初に刺し入れたキルシュナー鋼線２０に鋼線刺入器具１０の貫通穴１３を通して鋼線刺入器具１０を体内に挿入し、刺し直し位置に適当な貫通穴１４，１５のいずれかを選択し、必要に応じてハンドル１２で鋼線刺入器具１０を回転させて貫通穴１４，１５を円周方向へ移行させて微調整し、刺し入れ位置を位置決めして第２のキルシュナー鋼線を刺し直す。【選択図】図１
0003135415.tif 000002
【実用新案登録請求の範囲】
【請求項１】
骨治療においてキルシュナー鋼線を患者の体表面から骨内へ正確に刺し入れるための鋼線刺入器具であって、細長の器具本体にキルシュナー鋼線を貫通する貫通穴を位置をずらして複数穿孔し、器具本体の後端部にハンドルを備え、体内に挿入した器具本体の貫通穴を選択してキルシュナー鋼線を別の位置に刺し直しできるようにしたことを特徴とする、鋼線刺入器具。
【請求項２】
複数の貫通穴のうち１本を器具本体の中心位置に穿孔し、他の貫通穴を前記中心位置の貫通穴からそれぞれ異なる距離の位置に穿孔した、請求項１記載の鋼線刺入器具。
【考案の詳細な説明】
【技術分野】
【０００１】
本考案は、骨治療においてキルシュナー鋼線を患者の体表面から骨内へ正確に刺し入れるための鋼線刺入器具に関する。
【背景技術】
【０００２】
従来、骨粗鬆症による脊椎圧迫骨折等の手術では、キルシュナー鋼線を患者の体表面から骨内へ刺し入れてレントゲン透視装置で刺し入れ位置を確認し、このキルシュナー鋼線をガイドにしてドリルを体内へ挿入して骨に治療用の穴を穿孔している。ところで、前記の技術において刺し入れ位置がずれて刺し直す場合、わずかに位置をずらすような刺し直しは困難であった。
【特許文献１】特開平５−２６９１４４号公報
【考案の開示】
【考案が解決しようとする課題】
【０００３】
本考案が解決しようとする課題は、従来のこれらの問題点を解消し、キルシュナー鋼線の刺し入れ位置がずれた場合に、キルシュナー鋼線を適所へ容易且つ正確に刺し直しできる鋼線刺入器具を提供することにある。
【課題を解決するための手段】
【０００４】
かかる課題を解決した本考案の構成は、
１）  骨治療においてキルシュナー鋼線を患者の体表面から骨内へ正確に刺し入れるための鋼線刺入器具であって、細長の器具本体にキルシュナー鋼線を貫通する貫通穴を位置をずらして複数穿孔し、器具本体の後端部にハンドルを備え、体内に挿入した器具本体の貫通穴を選択してキルシュナー鋼線を別の位置に刺し直しできるようにしたことを特徴とする、鋼線刺入器具
２）  複数の貫通穴のうち１本を器具本体の中心位置に穿孔し、他の貫通穴を前記中心位置の貫通穴からそれぞれ異なる距離の位置に穿孔した、前記１）記載の鋼線刺入器具
にある。
【考案の効果】
【０００５】
本考案では、刺し入れ位置がずれて刺し直す場合に、最初に刺し入れたキルシュナー鋼線に鋼線刺入器具のいずれかの貫通穴を通して鋼線刺入器具を体内に挿入し、刺し直し位置に適当な他の貫通穴のいずれかを選択して第２のキルシュナー鋼線を刺し直す。第２のキルシュナー鋼線が正確に刺し入れできたら最初のキルシュナー鋼線を抜去する。したがって、最初のキルシュナー鋼線で定位置に保持されている鋼線刺入器具に第２のキルシュナー鋼線を刺し入れるから、第２のキルシュナー鋼線を刺し入れる際に動くことがなく、わずかに位置にずらような場合でも容易且つ正確に刺し直しできる。
【考案を実施するための最良の形態】
【０００６】
本考案では、複数の貫通穴のうち１本を器具本体の中心位置に穿孔し、他の貫通穴を前記中心位置の貫通穴からそれぞれ異なる距離の位置に穿孔することで、ハンドルで鋼線刺入器具を回転させると選択した貫通穴が円周方向へ移行し、刺し直し位置をさらに微調整できる。以下、本考案の実施例を図面に基づいて具体的に説明する。
【実施例１】
【０００７】
図１，２は実施例の鋼線刺入器具の斜視図、図３は図１のＡ−Ａ断面図、図４は実施例の鋼線刺入器具の使用状態を示す説明図である。図中、１０は鋼線刺入器具、１１は器具本体、１２はハンドル、１３〜１５は貫通穴、２０はキルシュナー鋼線、２１は第２のキルシュナー鋼線、Ｈは患者、Ｈａは脊椎骨、Ｈｂは椎体である。
【０００８】
本実施例の鋼線刺入器具１０は、図１〜３に示すように細長の器具本体１１の後端部にハンドル１２を備え、外径１．８ｍｍのキルシュナー鋼線２０を貫通させる内径１．８ｍｍの貫通穴１３，１４，１５を位置をずらして穿孔している。貫通穴１３は器具本体１１の中心位置に穿孔し、貫通穴１４は貫通穴１３の中心軸から２．７ｍｍ離れた位置に穿孔し、貫通穴１５は貫通穴１３の中心軸から１．８ｍｍ離れた位置に穿孔している。これにより、キルシュナー鋼線２０の刺し入れ位置の移行幅は最小１．８ｍｍ、最大４．５ｍｍとなる。
【０００９】
本実施例では、図４に示すようにキルシュナー鋼線２０を患者Ｈの体表面から脊椎骨Ｈａ内へ刺し入れ、レントゲンとＣＴにて刺し入れ位置を確認する。刺し入れ位置がずれて刺し直す場合は、鋼線刺入器具１０の貫通穴１３にキルシュナー鋼線２０を通して鋼線刺入器具１０を体内に挿入し、刺し直し位置に適当な貫通穴１４，１５のいずれかを選択し、必要に応じてハンドル１２で鋼線刺入器具１０を回転させて貫通穴１４，１５を円周方向へ移行させて微調整し、刺し入れ位置を位置決めして第２のキルシュナー鋼線２１を刺し直す。第２のキルシュナー鋼線２１が正確に刺し入れできたら、最初のキルシュナー鋼線２０を抜去する。
【００１０】
第２のキルシュナー鋼線２１の刺し入れが完了すると、鋼線刺入器具１０を体内から抜去し、刺し入れた第２のキルシュナー鋼線２１をガイドにしてドリル（図示せず）を体内へ挿入し、脊椎骨Ｈａに治療用の穴を穿孔する。このように、最初のキルシュナー鋼線２０で定位置に保持されている鋼線刺入器具１０に第２のキルシュナー鋼線２１を刺し入れるから、第２のキルシュナー鋼線２１を刺し入れる際に動くことがなく、わずかに位置にずらような場合でも容易且つ正確に刺し直しできる。
【産業上の利用可能性】
【００１１】
本考案の鋼線刺入器具は、骨粗鬆症による脊椎の圧迫骨折等の手術に利用される。
【図面の簡単な説明】
【００１２】
【図１】実施例の鋼線刺入器具の斜視図である。
【図２】実施例の鋼線刺入器具の斜視図である。
【図３】図１のＡ−Ａ断面図である。
【図４】実施例の鋼線刺入器具の使用状態を示す説明図である。
【符号の説明】
【００１３】
１０  鋼線刺入器具
１１  器具本体
１２  ハンドル
１３〜１５  貫通穴
２０  キルシュナー鋼線
２１  第２のキルシュナー鋼線
Ｈ  患者
Ｈａ  脊椎骨
Ｈｂ  椎体
【図１】
0003135415.tif 000003
【図２】
0003135415.tif 000004
【図３】
0003135415.tif 000005
【図４】
0003135415.tif 000006
(57)【要約】      （修正有）【課題】一般車両による巻き込み事故の防止、或いは、タクシーを拾いたいと思っている客が、交差点においてタクシーの曲がる方向予測しやすくする。【解決手段】自動車のドアの窓枠に沿って配置できるように形成された自動車用ドアバイザーＡであって、前記ドアバイザーを透光性を備えた部材により構成し、前記ドアバイザーの長手方向に沿って複数の発光ダイオード１０を隣接して設け、前記自動車の方向指示器と連動して発光するように構成したことを特徴とする。【選択図】図１
0003135422.tif 000002
【実用新案登録請求の範囲】
【請求項１】
自動車のドアの窓枠に沿って配置できるように形成された自動車用ドアバイザーであって、前記ドアバイザーを透光性を備えた部材により構成し、前記ドアバイザーの長手方向に沿って複数の発光ダイオードを隣接して設け、前記自動車の方向指示器と連動して発光するように構成したことを特徴とする自動車用ドアバイザー。
【考案の詳細な説明】
【技術分野】
【０００１】
本考案は、自動車用ドアバイザーに関する。
【背景技術】
【０００２】
自動車用ドアバイザーは、窓枠に取り付けて使用されるもので、合成樹脂の射出成形によって製造され、透明な庇板部と、その幅方向一辺に連設された取付け用板部とを備えており、自動車に装着した状態においては、庇板部の裏側に雨の当たらない空間が形成されている。そして、窓ガラスを少し下げた状態で走行することにより、窓の隙間による室内換気を促進する役目と、窓の隙間から雨が入り込むのを防ぐ雨除けとしての役目を果たすようになっている。
この種の自動車用ドアバイザーとして、例えば、特許文献１には、自動車から降りた人に半ドアであることを知らせたり、ドアが開いたことを後続車に知らせるために、ドアバイザーの庇の後端面に発光ダイオードを設けて多機能化することが開示されている。
【特許文献１】特開２００２−２４０６２５号公報
【考案の開示】
【考案が解決しようとする課題】
【０００３】
本考案は、このような自動車用ドアバイザーの多機能化を図ったものであり、一般車両による巻き込み事故の防止、或いは、タクシーを拾いたいと思っている客が、交差点においてタクシーの曲がる方向予測しやすくすることを目的とする。
【課題を解決するための手段】
【０００４】
上記課題を解決するために、本考案者は、ドアバイザーの内側に窓枠に沿って発光ダイオードを隣接して配置して視認性を高め、自動車の方向指示器と連動して発光するようにすれば、自動車の曲がる方向を外部により確実に知らせることができることを知見して、下記の解決手段を見出した。
即ち、本考案の自動車用ドアバイザーは、請求項１に記載の通り、自動車のドアの窓枠に沿って配置できるように形成された自動車用ドアバイザーであって、前記ドアバイザーを透光性を備えた部材により構成し、前記ドアバイザーの長手方向に沿って複数の発光ダイオードを隣接して設け、前記自動車の方向指示器と連動して発光するように構成したことを特徴とする。
【考案の効果】
【０００５】
本考案によれば、一般車両による巻き込み事故の防止をすることができる。また、交差点における自動車の曲がる方向を容易に予測することができるので、タクシー等に適用すれば、客が交差点でタクシーの曲がる方向を予測しやすくなる。
【考案を実施するための最良の形態】
【０００６】
本考案の自動車用ドアバイザーＡの一実施の形態について図面を参照して説明する。
この自動車用ドアバイザーＡは、合成樹脂の射出成形によって製造されたもので、自動車側面の窓の上縁に沿った主バイザー部分１ＡとＡピラーに沿った前下がりの補助バイザー部分２Ａとを備え、主バイザー部分１Ａ及び補助バイザー部分２Ａの夫々が透明な庇板部３と、その幅方向一辺に連設された取付け用板部４とを備えている。そして、取付け用板部４を両面接着テープ５で窓枠６に取り付けるようになっている。７は窓ガラス、８はドアミラー、９はドアミラーベースである。
【０００７】
主バイザー部分１Ａにおける庇板部３の後端面３ａは、斜め後方に面するように、庇板部３の側面に対して折れ曲っている。そして、この庇板部３の内側には、多数の発光ダイオード１０を隣接して配置させたものであり、当該発光ダイオード１０は、ドアミラーベース９の内方において、図略の方向指示器と連動する電気配線に接続してある。
【０００８】
庇板部３の内側に発光ダイオード１０を設けるにあたって、この例では、庇板部３の内側から、図２に示すように、複数の発光ダイオード１０を配線４により接続したものを粘着テープ５により貼り付けたものである。
【０００９】
上記の構成によれば、自動車が右折又は左折しようとして方向指示器を点灯した場合に、この方向指示器と連動して、本考案の自動車用ドアバイザーの発光ダイオードが点灯し、外部から自動車の曲がる方向が予測しやすくなる。
【００１０】
上記自動車用ドアバイザーの庇部を構成する材料は、透光性を有するものであれば特に制限するものではなく、例えば、アクリル等の樹脂から構成することができる。
また、上記説明において、発光ダイオード１０は、粘着テープ５により取り付けるようにしたが、ドアバイザーの庇部に配線とともに予め埋設しておいてもよい。
また、粘着テープについては、透光性を有する材料からなるものを採用することが好ましい。
【図面の簡単な説明】
【００１１】
【図１】自動車用ドアバイザーの使用状態の斜視図
【図２】発光ダイオードの取付方法を説明するための説明図
【符号の説明】
【００１２】
Ａ  自動車用ドアバイザー
３  庇板部
４  配線
５  粘着テープ
１０  発光ダイオード
【図２】
0003135422.tif 000003
【図１】
0003135422.tif 000004
(57)【要約】【課題】ビスダイン療法のための遮光手段の内、顔部、頭部及び首部の遮光は、機能面からもファッション面からも問題が多く、患者一人一人が工夫してサングラスや鍔付きの帽子等を着用しているのが実情である。また、この目的で市販されている遮光衣料品等は見当たらない。本考案は、周囲の目を気にすることなく、安心して着用可能な加齢黄斑変性症患者のためのビスダイン療法を配慮した術後用遮光頭巾を提供する。【解決手段】顔面を覆う前面の遮光カバーが回転するプラスチック製のサンバイザーとデザインされた遮光布を組み合わせる構造とすることで必要なときに必要な遮光効果が得られるビスダイン療法に対応した術後用遮光頭巾とした。また、サンバイザーと遮光布とはホック又はマジックテープ（登録商標）で簡単に着脱できるようにしており、可能な範囲で顔部、頭部又は首部を開放し得る構造とした。【選択図】図１
0003135426.tif 000002
【実用新案登録請求の範囲】
【請求項１】
目と目の周辺部をプラスチック製のサンバイザーで遮光し、頭部、顔部及び首部を遮光布で遮光し、サンバイザーと遮光布とをホック又はマジックテープ（登録商標）で固定する構造のビスダイン療法の治療を受けている加齢黄斑変性症患者のための術後用遮光頭巾。
【考案の詳細な説明】
【技術分野】
【０００１】
本考案は、ビスダイン療法の治療を受けている加齢黄斑変性症患者のための術後用遮光頭巾に関する。
【背景技術】
【０００２】
顔部、頭部、首部等を遮光する機能を有するものとして、自動車または自転車を運転しているときに顔面の日焼けを抑制するための顔面遮光布付き帽子（例えば、特許文献１参照。）や遮光効果を有する鍔の変形である日除けを付けた帽子（例えば、特許文献２参照。）が開示されている。これらはレジャーや作業等日常生活のなかで日除けのために用いるものであり、必要箇所を必要に応じて完全に遮光する機能を有するものではない。
【０００３】
【特許文献１】実用新案登録第３１１２４１６号公報
【特許文献２】特開２００５−２２６１９４号公報
【考案の開示】
【考案が解決しようとする課題】
【０００４】
眼の疾患である加齢黄斑変性症の治療の１つにビスダイン療法がある。この療法は光に反応する薬剤（以下「ビスダイン」という。）を体内に注射した後、病変部にレーザーを照射し、レーザーによって活性化したビスダインが加齢黄斑変性症による新生血管の進展を抑制するものである。この際投与されたビスダインは、皮膚や目が日光などの強い光に当たると過敏に反応するため、強い光から保護する必要がある。このため、サングラス、鍔付きの帽子、手袋、長袖シャツ、長ズボン等を着用して全身を遮光している。
【０００５】
ビスダイン療法のための遮光手段の内、顔部、頭部及び首部の遮光は、機能面からもファッション面からも問題が多く、患者一人一人が工夫してサングラスや鍔付きの帽子等を着用しているのが実情である。また、この目的で市販されている遮光衣料品等は見当たらない。本考案は、周囲の目を気にすることなく、安心して着用可能な加齢黄斑変性症患者のためのビスダイン療法を配慮した術後用遮光頭巾を提供する。
【課題を解決するための手段】
【０００６】
顔面を覆う前面の遮光カバーが回転するプラスチック製のサンバイザーとデザインされた遮光布を組み合わせる構造とすることで必要なときに必要な遮光効果が得られるビスダイン療法に対応した術後用遮光頭巾とした。また、サンバイザーと遮光布とはホック又はマジックテープ（登録商標）で簡単に着脱できるようにしており、可能な範囲で顔部、頭部又は首部を開放し得る構造とした。
【考案の効果】
【０００７】
本考案のビスダイン療法に対応した術後用遮光頭巾を着用すれば、外出時の完全遮光、屋内での部分遮光等光の強さに応じた遮光が可能となり、必要な開放感を確保することで患者の苦痛を軽減することが可能となる。
【考案を実施するための最良の形態】
【０００８】
本考案は、ビスダイン療法のための遮光手段の内、顔部、頭部及び首部の遮光に関する問題点を解決する術後用遮光頭巾であり、以下実施するための最良の形態を図面により説明する。
【０００９】
ビスダイン療法のための全身の遮光は自由度を奪われ苦痛を伴うものである。特に顔部、頭部及び首部の遮光については、周囲の目が気になるところである。しかし、日中の屋外では完全な遮光が必要であり、これらを考慮し、図２に示すように、顔部の目と目の周辺部はプラスチック製のサンバイザー１で遮光し、頭部と首部はデザインされた遮光布５で遮光する構造とした。サンバイザー１と遮光布５とはホック６で接合するのが確実に固定できて安心であるが、ホックの代わりにマジックテープ（登録商標）留めにしてもよい。遮光布５の合わせ部は、着脱回数が多くなるので、マジックテープ（登録商標）７の使用が便利である。
【００１０】
本考案の術後用遮光頭巾は、必要とされる機能からファッション性を考慮する余地は少ないが、前記の構造とすることで、頭部の形状、遮光布５の柄や装飾、遮光布５の異種デザイン間での交換等を可能にした。すなわち、お洒落の演出に配慮したものである。
【００１１】
プラスチック製のサンバイザー１は、図３に示すような着脱が容易なカチューシャタイプのバンド２と遮光板３とを回転式固定具４で接続した市販のサンバイザーを用いるのでよい。回転式固定具４の使用で顔面の遮光を一時的に解除し、図１に示すように素顔を見せることで精神的ストレスから開放される効果がある。
【００１２】
主として頭部と首部を覆う遮光布５の素材は、市販の汎用遮光布でよい。また、遮光布５は、着用者個人の好みに合わせて色柄や刺繍等でデザインされたものを使用するのがよい。遮光布５の縫製形状は、その一例を図４に示すが、裁断された一枚の布の額の部分に装飾を兼ねたギャザー加工等により立体化される構造とする。
【実施例】
【００１３】
本考案の詳細を実施例で説明する。本考案はこの実施例によって何ら限定されるものではない。
【００１４】
図３に示す遮光板３がポリカーボネート製のレジャーやスポーツで用いられているサンバイザー１にホック６を縫いつけ、デザインされた市販の遮光布５にも対となるホックを所定の位置に縫いつけた。ホックを接合して遮光頭巾を完成させ図１及び図２に示す状態で装着した。屋外での使用においても十分な遮光性を確認することができた。
【図面の簡単な説明】
【００１５】
【図１】本考案術後用遮光頭巾の遮光板を開放した装着状態の図である。
【図２】本考案術後用遮光頭巾を完全遮光で装着した状態の図である。
【図３】サンバイザーの斜視図である。
【図４】遮光布の斜視図である。
【符号の説明】
【００１６】
１  サンバイザー
２  バンド
３  遮光板
４  回転式固定具
５  遮光布
６  ホック
７  マジックテープ（登録商標）
【図１】
0003135426.tif 000003
【図２】
0003135426.tif 000004
【図３】
0003135426.tif 000005
【図４】
0003135426.tif 000006
(57)【要約】      （修正有）【課題】軽量且つコンパクトでネジ止め不要のＵＷＢ−ＶＧＡ送受信機またはＵＷＢ−ＤＶＩ送受信機を提供する。【解決手段】パソコンから画像データをプロジェクタ８またはモニタ装置へワイヤレスで送信するＵＷＢ−ＶＧＡ送受信機であって、本体７にパソコンやプロジェクタ８またはモニタ装置のＶＧＡコネクタ８ａに固定させる固定ネジのないＶＧＡプラグ６を設け、且つ本体７の重量をＶＧＡプラグ６に無理がかからないような重量に軽量化したことを特徴とするＵＷＢ−ＶＧＡ送受信機。【選択図】図４
0003135946.tif 000002
【実用新案登録請求の範囲】
【請求項１】
パソコンから画像データをプロジェクタまたはモニタ装置へワイヤレスで送信するＵＷＢ−ＶＧＡ送受信機であって、本体に前記パソコンやプロジェクタまたはモニタ装置のＶＧＡコネクタに固定させる固定ネジのないＶＧＡプラグを設け、且つ本体の重量をＶＧＡプラグに無理がかからないような重量に軽量化したことを特徴とするＵＷＢ−ＶＧＡ送受信機。
【請求項２】
パソコンから画像データをプロジェクタまたはモニタ装置へワイヤレスで送信するＵＷＢ−ＤＶＩ送受信機であって、本体に前記パソコンやプロジェクタまたはモニタ装置のＤＶＩコネクタに固定させる固定ネジのないＤＶＩプラグを設け、且つ本体の重量をＤＶＩプラグに無理がかからないような重量に軽量化したことを特徴とするＵＷＢ−ＤＶＩ送受信機。
【考案の詳細な説明】
【技術分野】
【０００１】
本発明は、パソコンやプロジェクタまたはモニタ装置等の外部デバイス装置のＶＧＡコネクタまたはＤＶＩコネクタに装着して使用するＵＷＢ−ＶＧＡ送受信機またはＵＷＢ−ＤＶＩ送受信機に関するものである。
【背景技術】
【０００２】
通常、一台のプロジェクタをＶＧＡケーブル１を介して複数のパソコンで使用する場合が多い。そして別のパソコンからプロジェクタに画像を映し出そうとする際は、図１に示すように、今使っているパソコンからＶＧＡケーブル１のＶＧＡコネクタ２を抜き、別のパソコンにこのＶＧＡコネクタを差し込まないといけない。
【０００３】
ＶＧＡコネクタ２は１５芯の太いＶＧＡケーブル１を介して接続されるため、このＶＧＡケーブル１のねじれや剛性の反力により、接続部が抜ける恐れがあり、従って現在用いられるＶＧＡコネクタ２には図１に示すように２本の固定ネジ３，３を設け、ＶＧＡコネクタ接続後はこの２本の固定ネジ３，３で固定するようにしている。
【０００４】
このＶＧＡコネクタ２の固定ネジ３，３の抜き差しは非常に面倒で煩雑であり、会議の進行を妨げたりする場合もある。
【０００５】
図２は、固定ネジ３，３でプロジェクタまたはモニタ装置等の外部デバイス装置のＶＧＡコネクタに装着するＶＧＡコネクタ４を設けたＵＷＢ−ＶＧＡ送受信機５であるが、外部デバイス装置を移動したり収納する場合、ＵＷＢ−ＶＧＡ送受信機５の着脱が面倒であった。
【非特許文献１】平成１２年１月２５日，（株）技術評論社，「このとおりやればすぐできる!！２代目からのパソコン  ＬＡＮ」，２０頁
【考案の開示】
【考案が解決しようとする課題】
【０００６】
そこで、本考案は、ネジ止め不要のＵＷＢ−ＶＧＡ送受信機またはＵＷＢ−ＤＶＩ送受信機を提供しようとするものである。
【課題を解決するための手段】
【０００７】
本考案は、上記の課題を解決するためになされたもので、請求項１記載の発明はパソコンから画像データをプロジェクタまたはモニタ装置へワイヤレスで送信するＵＷＢ−ＶＧＡ送受信機であって、本体に前記パソコンやプロジェクタまたはモニタ装置のＶＧＡコネクタに固定させる固定ネジのないＶＧＡプラグを設け、且つ本体の重量をＶＧＡプラグに無理がかからないような重量に軽量化したことを特徴とするＵＷＢ−ＶＧＡ送受信機である。
【０００８】
請求項２記載の発明は、パソコンから画像データをプロジェクタまたはモニタ装置へワイヤレスで送信するＵＷＢ−ＤＶＩ送受信機であって、本体に前記パソコンやプロジェクタまたはモニタ装置のＤＶＩコネクタに固定させる固定ネジのないＤＶＩプラグを設け、且つ本体の重量をＤＶＩプラグに無理がかからないような重量に軽量化したことを特徴とするＵＷＢ−ＤＶＩ送受信機である。
【考案の効果】
【０００９】
本考案は、従来のように本体を外部デバイス装置に接続する場合、２本の固定ネジで固定する必要がないので、ＶＧＡコネクタまたはＤＶＩコネクタの抜き差し作業が非常に簡単になるため使い勝手がよく、またコンパクトサイズで安価に提供することができる。
【実施例１】
【００１０】
図３は、本考案の実施例を示すもので、ａ図は平面図、ｂ図は右側面図である。
【００１１】
図中、６は本体７に取付けたＶＧＡプラグで、本体７の重量は、図４に示すように本体をプロジェクタ８のＶＧＡコネクタ８ａに接続した場合、ＶＧＡコネクタ８ａとＶＧＡプラグ６の接続部に無理な負荷が掛からない重量に軽量且つコンパクトに作られている。
【００１２】
従って、従来のように固定ネジで固定しなくとも接続不良になったり、外れたりすることがなく、使い勝手に勝れている。
【実施例２】
【００１３】
最近のパソコンやプロジェクタやモニタ装置等の外部デバイス装置には、ＶＧＡコネクタの他にＤＶＩコネクタが設けられている。従ってここでは実施例２の図面及びその説明は省略するが、前記ＤＶＩコネクタに固定させる固定ネジのないＤＶＩプラグを設け、且つ本体の重量をＤＶＩプラグに無理がかからないような重量に軽量化したＵＷＢ−ＤＶＩ送受信機とすることにより、パソコンから画像データを外部デバイス装置へワイヤレスで送信する場合の使い勝手をよくすることができる。
【図面の簡単な説明】
【００１４】
【図１】従来のＶＧＡケーブルの平面図（ａ図）と右側面図（ｂ図）
【図２】従来のＵＷＢ−ＶＧＡ送受信機の平面図
【図３】本発明の実施例の平面図（ａ図）と右側面図（ｂ図）
【図４】プロジェクタへの装置例を示す説明図
【符号の説明】
【００１５】
１      ＶＧＡケーブル
２，４  ＶＧＡコネクタ
３      固定ネジ
５      ＵＷＢ−ＶＧＡ送受信機
６      ＶＧＡプラグ
７      本体
８      プロジェクタ
【図１】
0003135946.tif 000003
【図２】
0003135946.tif 000004
【図３】
0003135946.tif 000005
【図４】
0003135946.tif 000006
(57)【要約】      （修正有）【課題】肩、胸元の的確な位置に補正具を挿入することが出来、洋装用ブラジャー着用でも、なだらかな胸元を作ることが出来る補正機能付き和装用肌着を提供する。【解決手段】左右上身頃１，２の肩から胸にわたる部位の内側にポケット５，６を作る。このポケット５，６に肩胸元用補正パッドを出し入れ可能に挿入する。前身頃３の胸中央内側にポケット７を作る。このポケット７に胸谷間用補正パッドを出し入れ可能に挿入する。【選択図】図１
0003135954.tif 000002
【実用新案登録請求の範囲】
【請求項１】
肌着本体の上身頃の首まわりの肩から胸にわたる部位の内側に肩胸元補正用の補正具を挿入できるポケットが設けられており、上身頃と前身頃のつなぎ目中央部分内側に胸谷間用補正具を挿入するポケットが設けられていることを特徴とする上身頃、前身頃、後ろ身頃、背あてからなる補正機能付き和装用肌着。
【考案の詳細な説明】
【技術分野】
【０００１】
本考案は、着物の着付けに際して着用する、和装用の肌着に関するものである。
【背景技術】
【０００２】
従来の和装用肌着は補正を行う際、補正具としてタオル等を肌着の上に置いたり和装用ブラジャーと肌着の間に挿入し補正具の位置を調節するなどして、美しい肩の線やなだらかな胸元を作っていた（特許文献1〜３参照）。
【０００３】
【特許文献１】実用新案登録第３０２３７１３号
【特許文献２】実用新案登録第３０５２２２２号
【特許文献３】特開平６−１５８４０１号
【考案の開示】
【考案が解決しようとする課題】
【０００４】
和服を着用する際、和装用肌着の上に補正用タオルを当てたり、和装用ブラジャーを使用するなどして美しい肩や胸の線を出すようにする。しかし、肌着の上に補正具を挿入するのはわずらわしい上に補正具を的確な位置にあてるのが難しく、ずれたり衿元から補正具が見えてしまったりと美しい肩の線を出すことが難しい。また、和装ブラジャーは胸の形を整える為、押さえがきつく、窮屈で通気性も悪い。
【課題を解決するための手段】
【０００５】
本考案は、上身頃と前身頃、後ろ身頃からなる和装用肌着において、上身頃の首まわりの肩から胸にわたる部位の内側にポケットを作り、このポケットに補正具を出し入れ可能に挿入し、上身頃と前身頃のつなぎ目の中央部分の内側にポケットを作り、補正具を出し入れ可能に挿入する。
【考案の効果】
【０００６】
本考案によれば、この補正機能付き和装用肌着を着用するだけで肩、胸元、胸谷間の補正具を的確な位置に簡便に挿入でき、洋装用ブラジャー使用に於いても胸元の補正が簡便に出来、補正時の窮屈感も解消できる。また、着用時に体との間に余裕のある構造の為、より良い通気性が得られる。
【考案を実施するための最良の形態】
【０００７】
補正機能付き和装用肌着の肩、胸元の的確な位置に補正具を挿入し、洋装用ブラジャー着用時に於いても、胸中央に補正具を挿入しなだらかな胸元を作る。  
【実施例１】
【０００８】
図１および図２において本考案に係る補正機能付き和装用肌着は上身頃１、２、前身頃３、後身頃４、肩胸元ポケット５，６、胸谷間ポケット７、背当て８で構成され、綿などの吸湿性や通気性に優れた素材からなる。
【０００９】
図１および図２において上身頃１、２と前身頃３は胸部、後上身頃１，２と後身頃４は背部で接続され、前身頃３と後見頃４は脇で接続されている。上身頃１，２で前身頃３、後身頃４と接続されない部分は上身頃１，２とも前後を縫合し袖とする。前後で接続されている上身頃１、２の袖部分の腋下と接続されている前身頃３、後身頃４の腋下には切り込みが入れてある。また接続されている前身頃３、後身頃４の脇裾部分にも切り込みが入れてあるため、冠頭衣として脱着が容易であり、通気性に富む。上身頃１，２の袖口、脇で接続されている前身頃３、後身頃４の裾には意匠として小花模様などのレースが必要に応じて施される。
【００１０】
図１および図２において、上身頃１，２の首まわりの肩から胸にわたる部位の内側と上身頃１，２の首まわりの肩から背中わたる部位の内側に肩胸元用補正パッド９が的確に挿入、収納できるサイズの肩胸元ポケット５，６を設けてある。
【００１１】
図２において、上身頃１，２の背部には背当て８が設けてある。この背当て８の縫合により、上身頃１，２の首まわりの肩から背中にわたる部位の内側に設けてある肩胸元ポケット５，６の開閉を防止し、肩胸元ポケット５，６に挿入した肩胸元用補正パッド９のずれを防止する。背当て８の上部、下部には意匠として小花模様などのレースが必要に応じて施される。
【００１２】
図１において、上身頃１、２と前身頃３の接合部分の胸中央部内側に、胸谷間用補正パッド１０が的確に挿入収納でき、胸谷間用補正パッド１０が安定するようなサイズの箱型の胸谷間用ポケット７を設けてある。この胸谷間用ポケット７の縫合により、上身頃１、２の首まわりの肩から胸にわたる部位の内側に設けてある肩胸元ポケット５，６の開閉を防止し、肩胸元ポケット５，６に挿入した肩胸元用補正パッド９のずれを防止する。
【００１３】
図３において、上身頃１，２の首まわりの肩から胸わたる部位の内側に設けてある肩胸元ポケット５，６に挿入する肩胸元用補正パッド９は、肩胸元ポケット５，６に的確に収納できるサイズで形成され、吸湿性や通気性に富む綿素材からなる。
【００１４】
図４において、上身頃１、２と前身頃３の接合部分の胸中央部内側に設けてある胸谷間ポケット７に挿入する胸谷間用補正パッド１０は、胸谷間用ポケット７に的確に収納できるサイズで形成され、吸湿性や通気性に富む綿素材からなる。
【実施例２】
【００１５】
図６において、図１、図２及び図５で示された補正機能付き和装用肌着の丈を短めに設定し、補正機能付き和装用上着１１となし、ステテコ型和装用下着１２を合わせることにより、暑い時期の下半身の汗取り効果や寒い時期の保温効果を得るものとする。
【図面の簡単な説明】
【００１６】
【図１】本考案の補正機能付き和装用肌着の正面図である。
【図２】本考案の補正機能付き和装用肌着の背面図である。
【図３】本考案の補正機能付き和装用肌着に用いられる肩胸元用補正パッドである。
【図４】本考案の補正機能付き和装用肌着に用いられる胸谷間用補正パッドである。
【図５】本考案の補正機能付き和装用肌着への補正パッド挿入図である。
【図６】本考案の他の実施例を示すもので、補正機能付き和装用上着とステテコ型和装用下着の正面図である。
【符号の説明】
【００１７】
１  上身頃
２  上身頃
３  前身頃
４  後身頃
５  肩胸元ポケット
６  肩胸元ポケット
７  胸谷間ポケット
８  背当て
９  肩胸元用補正パッド
１０  胸谷間用補正パッド
１１  補正機能付き和装用上着
１２  ステテコ型和装用下着
【図１】
0003135954.tif 000003
【図２】
0003135954.tif 000004
【図３】
0003135954.tif 000005
【図４】
0003135954.tif 000006
【図５】
0003135954.tif 000007
【図６】
0003135954.tif 000008
(57)【要約】 【課題】      本考案は墓石の外柵に於いて墓参スペースを狭くすることなく墓参用品の収納スペースを設置できるようにする。【解決手段】      本考案は外柵付き墓石のデザインとして設置されることの多い門柱に収納を組み込むことによって、墓参スペースに影響を与えることなく収納スペースを確保できる。【選択図】図１
0003135973.tif 000002
【実用新案登録請求の範囲】
【請求項１】
一般に外柵と呼ばれる、納骨部分と墓参スペースを持つ土台付き墓石に於いて、外柵前部に設置される門柱の内部に空間を作り壁面の一部に扉を設け収納機能を持たせたことを特徴とする収納庫付門柱。
【請求項２】
請求項１に於いて開閉可能な扉を墓石正面に設けたことを特徴とする収納庫付門柱。
【請求項３】
請求項１に於いて開閉可能な扉を墓石側面に設けたことを特徴とする収納庫付門柱。
【請求項４】
請求項１に於いて開閉可能な扉に開き戸を用いたことを特徴とする収納庫付門柱。
【請求項５】
請求項１に於いて開閉可能な扉に引き戸を用いたことを特徴とする収納庫付門柱。
【請求項６】
請求項１に於いて外観のデザインに曲面を持たせたことを特徴とする収納庫付門柱。
【考案の詳細な説明】
【技術分野】
【０００１】
本考案は、一般に外柵と呼ばれる、納骨部分と墓参スペースを持つ土台付き墓石に於いて、外柵前部に設置される門柱の内部に空間を作り壁面の一部に扉を設け収納機能を持たせたことを特徴とする収納庫付門柱に関する。
【背景技術】
【０００２】
従来より、墓参時にはローソク、線香、掃除具など種々の物品を携帯するが、この持参の手間を省くために墓石用の収納庫が利用されている。この収納庫は石材にて製作された箱状物に開閉扉を設けたものであるが、墓参スペースに設置されることが多く、複数人での墓参時の障害になっていた。
【考案の開示】
【考案が解決しようとする課題】
【０００３】
従来からの外柵付墓石広さは様々だが後半分程度が墓石本体、前側が墓参スペースという構造が一般的である。清掃道具や墓参用品収納用の収納庫はこの墓参スペースに設置されることが多く、あまり広いとは言えない墓参スペースをより狭くする原因となっていた、本考案は収納庫を墓参スペースを狭くすることなく設置することを目的として考案された物である。
【課題を解決するための手段】
【０００４】
本考案は外柵付き墓石に設置されることの多い墓石前部の門柱の内部に空間を設け収納スペースとし、その側面または前部に開閉可能な扉を組み込み、収納機能を持たせた門柱を提供する。これにより墓石全体のデザインに大きな変更を加えることなく収納庫を設置、墓参スペースを確保し問題点を解決している。
【考案の効果】
【０００５】
上述の様にデザイン的によくある部分に収納庫を組み込むことによって、外観に大きな変更を加えることなく収納庫を設置できる。これにより狭い墓地であっても墓参スペースの有効利用が出来、法要など大勢での墓参が容易になる、また外柵墓石の広さにも依るが車いすでの墓参も可能になる。さらに墓石構造やデザインに影響を与えにくい部分の改良のため墓石建立後の改良としての設置も可能である。
【考案を実施するための最良の形態】
【０００６】
外柵付墓石のよくあるデザインで墓石正面入り口左右に門柱を設置している物があるが、この門柱を板状の石の組み合わせで上から見た状態でコの字になるように固定する。コの字の開口部に開閉用の扉を付け、上部にフタとなる部材を固着する。この際扉のくる開口部の向きは墓石の建立場所やデザインを考慮し側面もしくは正面を向ける。また門柱収納庫自体のデザインは墓石のデザインに合わせいろいろな形に応用できる。
【実施例】
【０００７】
以下、添付図面に従って実施例を説明する。本考案は形状やデザインはいろいろな応用が可能なため基本的な立方体にて説明する。基部となる台石1には扉の回転軸となるa1が入り且つ回転する直径の穴Ｂ１を空ける、この際穴の深さはa1の部分の長さ（高さ）より3ｍｍ〜5ｍｍ短くする。台石1の上部に壁石３，４，５をコの字に組み合わせ固定する。扉石２を台石1の穴b1合わせ取り付け、天井石７を上から被せ壁石と固着する、天井石７には扉２のa２が入るように台石１と同じように穴ｂ２をあける。扉を閉めた際風などで開かないよう開き止石8を穴b3にいれる。又使用状況によっては棚石６を入れることも出来る。
【図面の簡単な説明】
【０００８】
【図１】本考案設置した墓石の例を示す斜視図
【図２】本考案の主要部分のみの斜視図
【図３】本考案の主要部分の透視図
【図４】本考案の主要部分の分解図
【符号の説明】
【０００９】
１，台石
２，扉石
３，壁石
４，壁石
５，壁石
６，棚石
７，天井石
８，扉開き止め石
a１,扉回転軸
a２,扉回転軸
ｂ１,扉軸穴
ｂ２,扉軸穴
【図１】
0003135973.tif 000003
【図２】
0003135973.tif 000004
【図３】
0003135973.tif 000005
【図４】
0003135973.tif 000006
(57)【要約】      （修正有）【課題】上方偏向式小型風車の設定時に於いて、ソ−ラ−を併設する。【解決手段】上方偏向式小型風車のケ−スガイド６と、これに連結した尾翼との空間部に、ソ−ラ−８を取り付け風車とソ−ラ−を一体化したことを特徴とする上方偏向式小型風車。【選択図】図１
0003135093.tif 000002
【実用新案登録請求の範囲】
【請求項１】
上方偏向式小型風車のケ−スガイドと、これに連結した尾翼との空間部に、ソ−ラ−を取り付け風車とソ−ラ−を１体化したことを特徴とする上方偏向式小型風車。
【考案の詳細な説明】
【技術分野】
【０００１】本考案は上方偏向式小型風車に関するものであり、風車とソ−ラ−を１体化して  風況条件が悪い場合には太陽光発電とし、風と太陽のエネルギ−を同一空間で最大限利用することを目的とする。
【背景技術】
【０００２】従来の風車とソ−ラ−は  それぞれ独立して設置されており、ソ−ラ−の架台、設置場所、経費等種々の課題があった。
【課題を解決する為の手段】
【０００３】上方偏向式小型風車では強靱なケ−スガイドと尾翼との距離が約風車の半径に等しく  この間にソ−ラ−を登載することが出来これに依って種々の課題の解決が一挙になされた。
【図面の簡単な説明】
【０００４】
【図１】風車を正面から見た立体図である。
【図２】図１の側面図である。
【図３】ソ−ラ−の登載を示す平面図である。
【図１】
0003135093.tif 000003
【図２】
0003135093.tif 000004
【図３】
0003135093.tif 000005